(57)【要約】【課題】複数の点火装置を集合させて順次点火する点火装置において、点火の順を間違えることがない安全な点火装置を提供する。【解決手段】筐体５内部の撃針２を弾性体３の弾性力に抗して拘束する一枚方式の点火レバー４に、撃針２の径Ｓより大きい貫通孔６と、点火レバー４のスライド方向Ａ１，Ｂ１に沿った切り欠き７を貫通孔６の端部に設け、その切り欠き７の長さを、撃針２の径Ｓの長さに撃針２を解放する順を乗じた長さとする。貫通孔６に対する切り欠き７の形成方向は、撃針２を解放する順において左右交互に形成される。【選択図】  図１
2004190969.tif 000002
【特許請求の範囲】
【請求項１】
撃針と撃針の打突方向に付勢された弾性体とを内部に有する筐体と、筐体内部の撃針を弾性体の弾性力に抗して拘束する板状の点火レバーとを備え、
上記点火レバーは、複数配置される上記筐体の所定位置に置いて所定の方向にスライドさせることにより撃針の拘束を解放する一枚方式での機構を持ち、
この一枚方式の点火レバーをスライドさせる方向を所定の順に切り替えることにより、上記複数の撃針と弾性体の拘束が順に解放されることを特徴とする点火装置。
【請求項２】
前記点火レバーにおける複数の撃針を拘束及び解放する機構は、撃針の径より大きい貫通孔を所定数設け、点火レバーをスライドさせる方向に沿った長穴形状の切り欠きを上記貫通孔の端部に各々設け、上記切り欠きの幅は撃針の径より小さく、撃針の尾部側面に設けられた溝を切り欠き端部に嵌合させることにより撃針及び弾性体を点火レバーに拘束し、点火レバーを所定の方向にスライドさせることにより上記溝と切り欠き端部との嵌合が解かれて撃針及び弾性体の拘束を解放するものであり、
切り欠きの長さは、撃針の径の長さに撃針を解放する順を乗じた長さであることを特徴とする請求項１記載の点火装置。
【請求項３】
前記点火レバーの形状は略円形状であり、複数の撃針が同心円上に並べられ、略円形状の中心を軸にして点火レバーを回転させることにより所定の方向にスライドさせることを特徴とする請求項２記載の点火装置。
【発明の詳細な説明】
【０００１】
【発明の属する技術分野】
本発明は、筐体内部において撃針を撃発雷管に打突させることにより点火させる点火装置に関し、特に、複数の筐体を所定の順に点火させる点火装置に関する。
【０００２】
【従来の技術】
従来、用いられていた点火装置としては、例えば、図１３に示される構成が採用されていた。図１３（ａ）は、従来の点火装置の上面図を示し、図１３（ｂ）は、その断面図を示す。すなわち、筐体５の内部に撃針２がコイル状のバネ３とともに上下可動に組み込まれている。バネ３の端部は撃針２の頭部に固定され、コイル状のバネ３の内側に撃針２が組み込まれ、バネ３の弾性力に抗して撃針２が図１３において上下方向に可動となっている。バネ３は、撃針２の打突方向（すなわち頭部の方向）に付勢され、このバネ３の弾性力に抗して撃針２の尾部が金属棒の点火ピン１９に固定されている。撃針２の点火ピン１９への固定方法は、撃針２の軸方向に直交して設けられた固定孔２０に点火ピン１９を差し込むことにより固定されるものである。点火ピン１９は、筐体５の上部に設けられたガイド溝２１により、筐体５の上部に沿って左右可動に固定されている。
【０００３】
図１４は、従来の点火装置において撃針２の解除を示す図である。点火ピン１９の側部１９ａを押し、可動方向に沿ってスライドさせると、点火ピン１９が撃針２の固定孔２０から外れると同時に、バネ３の拘束が解かれ、撃針２はバネ３の弾性力によって勢いよく撃発雷管１０に打突することとなる。この打突により火薬等が点火されることとなるが、打突による衝撃を撃発雷管１０に設置された火薬を発火させて点火する方法と、打突による撃針２の作動により金属板で構成されたスイッチを接続して電気的に点火する方法とがある。
【０００４】
【発明が解決しようとする課題】
ところで、複数の点火装置を集合させ順次点火する場合は、図１５に示すように、複数個の点火装置を単に並べて各点火装置ごとに設けられた各点火ピン１９を所定の順に各々スライドさせて点火させていた。また、図１５に示す例は、複数の点火装置を一列に配置させた例であるが、複数の点火装置を円筒状にまとめて配置した場合でも、同様に、各点火ピン１９を所定の順に各々スライドさせて点火させていた。
【０００５】
しかしながら、従来は、発火確認をしながら一つずつ点火作業を行っているとしても、点火の順を間違えることにより、作業者やその周囲に危険が及ぶ恐れがあった。図１５に示す例は、上記点火装置が３個の場合であるが、その個数が多くなればなる程、複数の点火装置を順次点火する場合の点火の順を間違える危険が増加する。また、一つの筐体５に一つの点火ピン１９が必要であり、各々の点火ピン１９を筐体５からはみ出すようにスライドさせるため、そのスライドのための設置スペースを各々の点火ピン１９毎に確保しなければならない問題を有していた。
【０００６】
そこで、本発明の目的は、複数の点火装置を集合させ順次点火する場合でも、その点火の順を間違えることがない点火装置を提供することにある。
【０００７】
【課題を解決するための手段】
本発明の請求項１記載の点火装置は、撃針と撃針の打突方向に付勢された弾性体とを内部に有する筐体と、筐体内部の撃針を弾性体の弾性力に抗して拘束する板状の点火レバーとを備え、上記点火レバーは、複数配置される上記筐体の所定位置に置いて所定の方向にスライドさせることにより撃針の拘束を解放する一枚方式での機構を持ち、この一枚方式の点火レバーをスライドさせる方向を所定の順に切り替えることにより、上記複数の撃針と弾性体の拘束が順に解放されることを特徴とする。
【０００８】
この発明によれば、複数の筐体に各々配される撃針を一枚方式の点火レバーのスライド方向を所定の順に切り替えることにより初めて、撃針及び弾性体の拘束が順次解放され、複数の点火装置を集合させ順次点火する場合でも、その点火の順を間違えることがない。なお、一枚方式の点火レバーをスライドさせる方式を採用するため、従来のように各々の点火ピンをスライドさせるために各々の点火ピン毎にスライド領域を確保する必要がない。
【０００９】
本発明の請求項２記載の点火装置は、請求項１記載の発明を前提として、前記点火レバーにおける複数の撃針を拘束及び解放する機構は、撃針の径より大きい貫通孔を所定数設け、点火レバーをスライドさせる方向に沿った長穴形状の切り欠きを上記貫通孔の端部に各々設け、上記切り欠きの幅は撃針の径より小さく、撃針の尾部側面に設けられた溝を切り欠き端部に嵌合させることにより撃針及び弾性体を点火レバーに拘束し、点火レバーを所定の方向にスライドさせることにより上記溝と切り欠き端部との嵌合が解かれて撃針及び弾性体の拘束を解放するものであり、切り欠きの長さは、撃針の径の長さに撃針を解放する順を乗じた長さであることを特徴とする。
【００１０】
この発明によれば、複数の撃針を解放するに際しては、上記切り欠きの長さが撃針の径の長さに撃針を解放する順を乗じた長さである構成とすることにより、解放すべき撃針を解放する方向に一枚方式の点火レバーをスライドさせた場合に、まだ解放すべきでない撃針が切り欠きから外れて貫通孔に位置することがない。また、一枚方式の点火レバーをスライドさせる方向を所定の順に切り替えるため、解放する順を誤ることが防止される。したがって、上記切り欠きの長さが撃針の径の長さに撃針を解放する順を乗じた長さであることと、一枚方式の点火レバーをスライドさせる方向を所定の順に切り替えることとをあわせることにより、所定の順序でしか撃針の解放が行われず、その結果、解放すべきでない撃針が誤って解放されたりすることがない。
【００１１】
本発明の請求項３記載の点火装置は、請求項２記載の発明を前提として、前記点火レバーの形状は略円形状であり、複数の撃針が同心円上に並べられ、略円形状の中心を軸にして点火レバーを回転させることにより所定の方向にスライドさせることを特徴とする。
【００１２】
この発明によれば、複数の撃針を略円形状の点火レバーにおいて同心円上に並べるため、複数の撃針を有する点火装置全体のサイズを小さくすることができる。また、略円形状の中心を軸にして点火レバーを回転させることにより所定の方向にスライドさせるため、点火レバーがスライドにより点火装置からはみ出すことがなく、点火装置の設置に必要なスペースを少なくすることができるとともに、誤動作防止にも資することとなる。
【００１３】
【発明の実施の形態】
以下、発明の実施の形態を図面に基づいて、具体的に説明する。
【００１４】
（第１の実施の形態）
点火装置Ｆ１は、複数の筐体５を直線状に一列に並べ、その上部に１枚の板状の点火レバー４を配したものであり、筐体５を３個使用した例である。図１（ａ）は、点火装置Ｆ１の上面図を示し、図１（ｂ）は、点火装置Ｆ１の断面図を示す。各筐体５の内部には、撃針２がコイル状のバネ（圧縮コイルバネ）３とともに上下可動に組み込まれている。バネ３の下端部３ａは撃針２の頭部に固定され、コイル状のバネ３の内側に組み込まれた撃針２が、バネ３の弾性力に抗して上下方向に可動となっている。筐体５の上部には、撃針２のみが通る空洞５ａが形成され、バネ３の上端部３ｂは空洞５ａの下端部より上方向に移動できない構造となっている。バネ３は、撃針２の打突方向（すなわち頭部の方向）に付勢され、このバネ３の弾性力に抗して撃針２の尾部が一枚の板状の点火レバー４に固定されている。各筐体５は略円筒形状であり、撃針２は各筐体５の中央に設置されており、筐体５が集合した点火装置Ｆ１において撃針２は所定間隔をおいて一直線上に配列された状態となっている。
【００１５】
撃針２の点火レバー４への固定方法は、点火レバー４に撃針２の径Ｓより大きい貫通孔６と、この貫通孔６に長穴形状の切り欠き７とを設け、撃針２の尾部に形成した溝８を切り欠き７に嵌合させることにより固定されるものである。切り欠き７の幅７ａは、撃針２の溝８の外径８ａにあわせ、溝８は切り欠き７の長さ（長径）７ｂのどの位置においても切り欠き７と嵌合する。また、切り欠き７の長さ７ｂは、撃針２の径Ｓに解放する順を乗じた長さとなっている。解放する順番において奇数順の切り欠き７は、図１において貫通孔６の右方向に長くなるように形成し、偶数順の切り欠き７は、貫通孔６の左方向に長くなるように形成されている。点火レバー４は、点火装置Ｆ１の上部に設けられた押さえ部９により、点火装置Ｆ１の上部に沿って左右可動に固定されている。
【００１６】
撃針２を解放する前、すなわち最初の撃針２の切り欠き７における位置は、解放する順と撃針２の径Ｓによって決定される。すなわち、解放する順をＮ（Ｎは自然数）とし、貫通孔６の中心と撃針２の中心との距離をＸとすると（図１参照）、距離Ｘは、解放する順Ｎの関数Ｋを用いて、数式１乃至数式３によって決定される。
Ｘ＝ＫＳ                                    （数式１）
Ｋ＝Ｎ／２              （Ｎ：偶数）        （数式２）
Ｋ＝（Ｎ＋１）／２      （Ｎ：奇数）        （数式３）
【００１７】
図２乃至図４は、図１に示される点火装置Ｆ１において撃針２の解除を示す図である。上述したように、切り欠き７は、点火レバー４の可動方向に沿って、かつ、解放する順に従って貫通孔６に対して左右交互に形成されている。したがって、点火レバー４を解放する順に従って左右交互にスライドさせると、切り欠き７から撃針２の溝８が外れ、撃針２の径Ｓより大きい貫通孔６から撃針２が打突方向（すなわち下方）に進む。また、切り欠き７から撃針２の溝８が外れると同時に、バネ３の拘束が解かれ、撃針２はバネ３の弾性力によって勢いよく撃発雷管１０に打突することとなる。まず、図１の状態においては、最も左側に位置する第１の撃針２ａの右端が切り欠き７の右端に当接しているため、点火レバー４を左方向すなわち矢印Ｂ１の方向にスライドさせることができない。そこで、点火レバー４を矢印Ａ１の方向にスライドさせると、図２に示されるように第１の撃針２ａが切り欠き７から外れ、貫通孔６の位置に移動して、バネ３の弾性力に従って下方に勢いよく進む。このとき、点火レバー４をさらに矢印Ａ１の方向にスライドさせようとしても、中央に位置する第２の撃針２ｂの左端が切り欠き７の左端に当接するため、さらに点火レバー４をスライドさせることができない。したがって、図１の状態からは、点火レバー４は矢印Ａ１の方向にのみ、かつ所定の距離だけスライドできることとなり、誤って他の撃針２ｂ，２ｃを解放してしまうことがない。
【００１８】
次に、図２の状態においては、上述したように中央に位置する第２の撃針２ｂの左端が切り欠き７の左端に当接するため、点火レバー４は左方向すなわち矢印Ｂ１の方向にしかスライドさせることができない。そこで、点火レバー４を矢印Ｂ１の方向にスライドさせると、図３に示すように、第２の撃針２ｂが切り欠き７から外れ、貫通孔６の位置に移動して、バネ３の弾性力に従って下方に勢いよく進む。このとき、点火レバー４をさらに矢印Ｂ１の方向にスライドさせようとしても、最も右側に位置する第３の撃針２ｃが切り欠き７の右端に当接するため、さらに点火レバー４をスライドさせることができない。したがって、図２の状態においては、点火レバー４は矢印Ｂ１の方向にのみ、かつ所定の距離しかスライドしないこととなり、誤って他の撃針２ｃを解放してしまうことがない。
【００１９】
次に、図３の状態においては、上述したように第３の撃針２ｃの右端が切り欠き７の右端に当接するため、点火レバー４は右方向すなわち矢印Ａ１の方向にしかスライドさせることができない。そこで、点火レバー４を矢印Ａ１の方向にスライドさせると、図４に示すように、第３の撃針２ｃが切り欠き７から外れ、貫通孔６の位置に移動して、バネ３の弾性力に従って下方に勢いよく進む。
【００２０】
（第２の実施の形態）
本実施の形態は、複数の筐体５及びその内部の撃針２を同心円Ｃ上に並べた点火装置Ｆ２である。図５（ａ）は、点火装置Ｆ２の上面図を示し、図５（ｂ）は、点火装置Ｆ２のＹ−Ｙ´における断面図を示す。第１の実施の形態との相違点は、筐体５の並べ方のほか、一枚の板状の点火レバー４の形状を略円形状とする点、当該点火レバー４は同心円Ｃの中心を軸にして回転可能とさせることによりスライドさせる点、及び撃針２の並ぶ同心円Ｃに沿って切り欠き７を形成する点などである。具体的には以下に示すとおりである。その他の部分は、第１の実施の形態と同様である。
【００２１】
各筐体５は断面略扇形状に形成されており、同心円Ｃ上に並べられて集合配置されたときに全体として略円筒形状となっている。略円形状の点火レバー４は筐体５の略円筒形状の集合体の上部及び側部上方を覆う断面コ字状となっている。各筐体５の側部上方には、筐体５の略円筒形状の集合体の外周に沿ってガイドピン１１が設けられており、断面コ字状の点火レバー４の内側に設けられた溝４ａがガイドピン１１に嵌合されることにより点火レバー４が回転方向にスライド可能に固定されている。本実施の形態では、複数の筐体５を略円形状の点火レバー４に同心円Ｃ上に並べるため、点火装置Ｆ２全体のサイズが小さくなっている。
【００２２】
本実施の形態における点火装置Ｆ２の撃針２は同心円Ｃ上に一定の間隔で配置されており、略円形の点火レバー４には同心円Ｃ上に貫通孔６と切り欠き７が設けられている。撃針２の解放前の貫通孔６と撃針２との位置は上記数式１，数式２，数式３を満たす関係となっている。だたし、距離Ｘとは貫通孔６の中心と撃針２の中心との同心円Ｃ上の距離を示し、径Ｓとは撃針２の直径を示す。各貫通孔６に設けられた切り欠き７は同心円Ｃ上に沿った円弧状であり、解放する順番において奇数順の切り欠き７は、図５において貫通孔６の左回り方向Ａ２に長くなるように形成され、偶数順の切り欠き７は、貫通孔６の右回り方向Ｂ２に長くなるように形成されている。
【００２３】
図６乃至図８は、図５に示される点火装置Ｆ２において撃針２の解除を示す図である。図６（ａ）、図７（ａ）、図８（ａ）は、点火装置Ｆ２の上面図を示し、図６（ｂ）、図７（ｂ）、図８（ｂ）は、点火装置Ｆ２の断面図を示す（各断面の箇所をＹ―Ｙ´、Ｚ―Ｚ´で示す）。上述したように、切り欠き７は、点火レバー４の可動方向に沿って、かつ、解放する順に従って貫通孔６に対して左回り方向Ａ２と右回り方向Ｂ２の交互に形成されている。したがって、点火レバー４を解放する順に従って左回り方向Ａ２と右回り方向Ｂ２の交互に回転させることによりスライドさせると、切り欠き７から撃針２の溝８が外れ、撃針２が打突方向（すなわち下方）に進むとともに撃発雷管１０に打突することとなる。初期状態（図５）から略円形状の点火レバー４を左回り方向Ａ２に回転させると第１の撃針２ａの拘束が解放され（図６）、次に右回り方向Ｂ２に回転させると第２の撃針２ｂの拘束が解放され（図７）、その後に再度左回り方向Ａ２に回転させると第３の撃針２ｃの拘束が解放され（図８）、各撃針２ａ，２ｂ，２ｃが撃発雷管１０を順次打突することとなる。同心円Ｃの中心を軸にして点火レバー４を回転させることにより所定の方向にスライドさせるため、点火レバー４がスライドにより点火装置Ｆ２からはみ出すことがなく、点火装置Ｆ１の設置に必要なスペースを少なくすることができる。その他の点に関しては上記第１の実施の形態と同様である。
【００２４】
なお、上記各実施の形態の点火装置Ｆ１，Ｆ２のいずれも、撃針２が撃発雷管１０を打突することによって爆薬等が点火されるが、その点火に際しては、撃針２が撃発雷管１０に配された点火薬に打突による衝撃を与えて発火させ、その火炎により爆薬等を点火させても良いし、撃針２を作動（解放）させることにより金属板で構成された電気的な接点スイッチを接続させて点火させても良い。後者の場合は、図９に示すように、点火装置Ｆ１，Ｆ２内において、電池２２を電源として、電池２２と接続する発火回路２３，２４と、各発火回路２３，２４と接続する電気雷管Ｐ１，Ｐ２とから成る回路を形成し、回路の途中には電池２２と発火回路２３，２４との接続を制御するスイッチＳＷ１と、発火回路２３と電気雷管Ｐ１との接続を制御するスイッチＳＷ２と、発火回路２４と電気雷管Ｐ２との接続を制御するスイッチＳＷ３とを設ける。各スイッチＳＷ１，ＳＷ２，ＳＷ３は金属板で構成された電気的な接点スイッチであり、それぞれ上記各撃針２ａ，２ｂ，２ｃの拘束を解放して作動させることにより接続される。すなわち、第１の撃針２ａの拘束を解放する操作によりスイッチＳＷ１をＯＮにして電池２２と発火回路２３，２４を接続し、第２の撃針２ｂの拘束を解放する操作によりスイッチＳＷ２をＯＮにして電気雷管Ｐ１を発火させ、さらに第３の撃針２ｃの拘束を解放する操作によりスイッチＳＷ３をＯＮにして電気雷管Ｐ２を発火させる。各スイッチＳＷ１，ＳＷ２，ＳＷ３、発火回路２３，２４、電池２２は撃発雷管１０の位置に配置されており、スイッチＳＷ２、ＳＷ３に接続される電線の先端に電気雷管Ｐ１，Ｐ２が組み付けられている。
【００２５】
（実施例１）
図１０に本発明の実施例１を示す。本実施例１は、各々の内部に撃針２等が組み込まれた二つの筐体５を備える点火装置Ｆ３を爆発物の点火装置として使用した場合の例である。本実施例の点火装置Ｆ３は、上記第１の実施の形態の点火装置Ｆ１又は第２の実施の形態の点火装置Ｆ２と撃針２等が組み込まれた筐体５の個数以外は同じ構成である。爆発物はロケット等の飛翔体１２の尾部にロープ状の引張り索１３を介して主爆薬１４及び延時薬１５を入れた箱状体１６を取り付けたものであり、点火装置Ｆ３は各撃針（図示せず）により打突される撃発雷管１０ａ，１０ｂが伝爆チューブ１７ａ，１７ｂを介して飛翔体１２及び箱状体１６内の延時薬１５に接続されている。ここで、伝爆チューブ１７ａ，１７ｂとは、内部中空の内壁に火薬が薄く塗布され、火炎を伝導させるチューブである。点火装置Ｆ３を使用する場合は、まず、第１の撃針（図示せず）を解放することにより第１の撃発雷管１０ａを発火させると、火炎が伝爆チューブ１７ａを伝導して飛翔体１２の発射薬が点火される。発射薬の点火を確認した後に、第２の撃針（図示せず）の拘束を解放することにより第２の撃発雷管１０ｂを発火させると、火炎が伝爆チューブ１７ｂを伝導して延時薬１５が点火される。延時薬１５の点火を確認した後に飛翔体１２を発射させると、飛翔体１２は空中を飛動しながら引張り索１３を介して主爆薬１４を運搬し、延時薬１５の火炎が所定の時間経過後に主爆薬１４に到達して点火され、所定の場所で主爆薬１４が爆発する。
【００２６】
（実施例２）
図１１に本発明の実施例２を示す。本実施例２は各々の内部に撃針２等が組み込まれた三つの筐体５を備える点火装置Ｆ４を爆発物の点火装置として使用した場合の例である。点火装置Ｆ４は上記第１の実施の形態の点火装置Ｆ１又は第２の実施の形態の点火装置Ｆ２と同一の構成である。爆発物は上記実施例１の爆発物（飛翔体１２、引張り索１３及び主爆薬１４と延時薬１５が充填された箱状体１６のセット）が防湿・防爆及び運搬・設置の便宜を目的とした専用の収納箱１８に収納されたものである。まず、第１の撃針（図示せず）の拘束を解放させることにより第１の撃発雷管１０ａを発火させると、伝爆チューブ１７ａを火炎が伝導して伝爆チューブ１７ａの先端に設けられた起爆雷管が発火し、収納箱１８の蓋部分のロックが破壊される。収納箱１８の蓋部分のロックが破壊されたことを確認した後に、上記実施例１と同様に、第２の撃針と第３の撃針の拘束を順次解放させることにより飛翔体１２の発射薬と延時薬１５が順次点火される。
【００２７】
（実施例３）
図１２に本発明の実施例３を示す。本実施例３は各々の内部に撃針２等が組み込まれた四つの筐体５を備える点火装置Ｆ５を爆発物の点火装置として使用した場合の例である。本実施例の点火装置Ｆ５は、上記第１の実施の形態の点火装置Ｆ１又は第２の実施の形態の点火装置Ｆ２と撃針２等が組み込まれた筐体５の個数以外は同じ構成である。本実施例に使用される爆発物は上記実施例１の爆発物（飛翔体１２、引張り索１３及び主爆薬１４と延時薬１５が充填された箱状体１６のセット）が二組用意されたものであり、第１の撃針と第２の撃針（図示せず）により打突される撃発雷管１０ａ，１０ｂがそれぞれ一方の組の飛翔体１２の発射薬と箱状体１６の延時薬１５に伝爆チューブ１７ａ，１７ｂを介して接続されており、第３の撃針と第４の撃針（図示せず）に打突される撃発雷管１０ｃ，１０ｄがそれぞれ他方の組の飛翔体１２と箱状体１６の延時薬１５に伝爆チューブ１７ｃ，１７ｄを介して接続されている。第１の撃針と第２の撃針の拘束を順次解放することにより撃発雷管１０ａ，１０ｂが順次発火し、一方の組の爆発物の飛翔体１２の発射薬と延時薬１５が順次点火される。次に第３の撃針と第４の撃針を順次解放することにより撃発雷管１０ｃ，１０ｄが順次発火し、他方の組の飛翔体１２の発射薬と延時薬１５が順次点火される。
【００２８】
上記各実施例では点火の順が重要であり、点火の順を間違えると爆発物の飛動前や飛動中に主爆薬１４が爆発したり、複数の爆発物を使用する場合は爆発の順序を誤ったりすることとなり、誤爆により作業者等に危険が及ぶこととなるが、上記実施例の点火装置によれば点火の順を間違えることがないため安全な使用ができる。
【００２９】
なお、本発明は山岳トンネル工事や砕石の採取、建築物の解体における発破作業において使用されるダイナマイト等の爆薬の点火装置や、その他順次点火を必要とする作業の点火装置としても使用可能である。
【００３０】
【発明の効果】
本発明によれば、一枚方式の点火レバーをスライドさせる方向を所定の順に切り替えることにより順次撃針及び弾性体の拘束が解放されるため、複数の点火装置を集合させ順次点火する場合でも、簡易な操作により順次点火することができ、複数の点火装置の集合数が多いときにおける点火順の間違え防止効果は大きなものとなる。また、一枚方式の点火レバーをスライドさせる方式を採用するため、従来のように各々の点火ピンをスライドさせるために各々の点火ピン毎にスライド領域を確保する必要がないため、省スペース化が図られる。
【００３１】
そして、点火レバーに設けられる切り欠きを所定の長さとすることにより、解放すべき撃針が解放されるために必要な方向及び距離でのみ点火レバーがスライドするため、解放すべきでない撃針が解放される危険がなく、操作に熟練を要しなくとも正確な順序で点火が行える。多数の撃針を同心円上に配列させるときは、装置全体を小型化することができるとともに、点火レバーを略円形状として回転方向によるスライドを可能とすることで点火レバーが点火装置からはみ出すことがなく、点火装置の設置に必要なスペースを少なくすることができる。また、誤動作防止にも資することとなる。
【００３２】
【図面の簡単な説明】
【図１】（ａ）は第１の実施の形態の点火装置の上面図、（ｂ）はその断面図
【図２】（ａ）は第１の実施の形態の点火装置の撃針解放の上面図、（ｂ）はその断面図
【図３】（ａ）は第１の実施の形態の点火装置の撃針解放の上面図、（ｂ）はその断面図
【図４】（ａ）は第１の実施の形態の点火装置の撃針解放の上面図、（ｂ）はその断面図
【図５】（ａ）は第２の実施の形態の点火装置の上面図、（ｂ）はその断面図
【図６】（ａ）は第２の実施の形態の点火装置の撃針開放の上面図、（ｂ）はその断面図
【図７】（ａ）は第２の実施の形態の点火装置の撃針開放の上面図、（ｂ）はその断面図
【図８】（ａ）は第２の実施の形態の点火装置の撃針開放の上面図、（ｂ）はその断面図
【図９】撃針と撃発雷管を電気的な接点スイッチとして発火させる場合の回路図
【図１０】本発明の実施例１を示す説明図
【図１１】本発明の実施例２を示す説明図
【図１２】本発明の実施例３を示す説明図
【図１３】（ａ）は従来の点火装置の上面図、（ｂ）はその断面図
【図１４】従来の点火装置の撃針の解放の説明図
【図１５】複数の筐体を有する従来の点火装置の構成図
【符号の説明】
Ｆ１，Ｆ２，Ｆ３，Ｆ４，Ｆ５    点火装置
２    撃針
２ａ  第１の撃針
２ｂ  第２の撃針
２ｃ  第３の撃針
Ｓ    撃針の径
３    バネ
４    点火レバー
４ａ  点火レバーの溝
５    筐体
６    貫通孔
７    切り欠き
８    溝
９    押さえ板
１０  撃発雷管
１１  ガイドピン
１２  飛翔体
１３  引張り索
１４  主爆薬
１５  延時薬
１６  箱状体
１７  伝爆チューブ
１８  収納箱
１９  点火ピン
２０  固定孔
２１  ガイド溝
Ａ１，Ａ２，Ｂ１，Ｂ２  点火レバーのスライド方向
Ｃ    同心円
２２  電池
２３，２４  発火回路
Ｐ１，Ｐ２  電気雷管
ＳＷ１，ＳＷ２，ＳＷ３  スイッチ
【図１】
2004190969.tif 000003
【図２】
2004190969.tif 000004
【図３】
2004190969.tif 000005
【図４】
2004190969.tif 000006
【図５】
2004190969.tif 000007
【図６】
2004190969.tif 000008
【図７】
2004190969.tif 000009
【図８】
2004190969.tif 000010
【図９】
2004190969.tif 000011
【図１０】
2004190969.tif 000012
【図１１】
2004190969.tif 000013
【図１２】
2004190969.tif 000014
【図１３】
2004190969.tif 000015
【図１４】
2004190969.tif 000016
【図１５】
2004190969.tif 000017